(57)【要約】      （修正有）【課題】構成が簡単で、かつチェーンの取付が容易な金型脱落防止装置を提供する。【解決手段】クランププレート１２の固定面１２ａに可動金型６が固定されているクランププレート１２の上縁部に、その上縁部に沿って所定の間隙をおいて固定ブロック３４ａが配置されている。クランププレート１２の上縁部の長さ方向に沿う軸回りに回転自在に、固定ブロック３４ａに可動ブロック３８を支持してある。金型６に一端部が連結されたチェーン３２の他端部側が可動ブロック３８に固定される。可動ブロック３８は、その上面側から下面側に向かう中途まで、チェーン３２の１つの鎖環の正面側の少なくとも下側部分が固定面１２ａ側を向いて収容可能なＵ字状の溝を有し、このＵ字の溝に交差して鎖環通路が連通している。この鎖環通路は、可動ブロック３８の上面及び下面及び正面側で開口し、鎖環の幅寸法にほぼ等しい幅寸法を有している。【選択図】図１
0003160637.tif 000002
【実用新案登録請求の範囲】
【請求項１】
金型固定面に金型が固定されるクランププレートまたはこのクランププレートが設けられているプラテンの上縁部に、その上縁部に沿って所定の間隙をおいて配置され、前記クランププレートまたはプラテンに固定される２つの固定ブロックを有する固定部と、
前記クランププレートまたはプラテンの上縁部の長さ方向に沿う軸回りに回転自在に、前記２つの固定ブロックに支持され、前記金型に一端部が連結されたチェーンの他端部側が固定される可動ブロックとを、
具備し、前記チェーンは、複数の環状の鎖環を有し、隣接する前記鎖環が交差するように連結されたものであり、
前記可動ブロックは、その上面側から下面側に向かう中途まで、前記チェーンの１つの鎖環の正面側の少なくとも下側部分が前記固定面側を向いて収容可能で前記固定面側及びその反対側への移動不能なＵ字状の溝を有し、さらに、このＵ字の溝に交差して連通し、前記可動ブロックの上面及び下面及び前記固定面側で開口し、前記鎖環の幅寸法にほぼ等しい幅寸法を有する鎖環通路を、有する金型脱落防止装置。
【請求項２】
請求項１記載の金型脱落防止装置において、前記可動ブロックの前記軸回りの回動を検出する検出手段を、前記固定部に設けた金型脱落防止装置。
【考案の詳細な説明】
【技術分野】
【０００１】
本考案は、金型をプラテンに固定した状態において、金型がプラテンから脱落することを防止する金型脱落防止装置に関する。
【背景技術】
【０００２】
従来、金型脱落防止装置としては、例えば特許文献１に開示されているようなものがある。特許文献１の技術によれば、横型射出成形機のプラテンの頂部にベースブロックが固定される。このベースブロックにコイルチェーンが連結され、金型の被支持部に係止されるフックがこのコイルチェーンの先端に設けられている。ベースブロックには、コイルチェーンの水平リンクを上方から導入可能な第１溝部が設けられ、第１溝部の底部中央に第２溝部を凹設し、この第２溝部に鉛直リンクの下部を導入し、第１溝部に導入された水平リンクが金型の方へ移動しないように水平リンクを係止する係止壁部を設け、第１溝部に導入されて係止壁部に係止された水平リンクから金型側へ連なる鉛直リンクを導出可能に係止壁部及び係止壁部の下方近傍の近傍壁部に第３溝部が形成され、第１溝部の上面を被蓋する蓋部材がベースブロックに取り外し可能に設けられている。
【先行技術文献】
【特許文献】
【０００３】
【特許文献１】実用新案登録第３１３６００１号
【考案の概要】
【考案が解決しようとする課題】
【０００４】
このように構成された金型脱落防止装置では、ベースブロックを第１乃至第３の溝部及び係止壁部を設けた複雑な構成とした上に、蓋部材をベースブロックに取り付けなければならず、その構成が複雑な上に、コイルチェーンの取付作業が面倒であった。
【０００５】
本考案は、構成が簡単で、かつチェーンの取付が容易な金型脱落防止装置を提供することを目的とする。
【課題を解決するための手段】
【０００６】
本考案の一態様の金型脱落防止装置は、固定部を有している。固定部は２つの固定ブロックを備え、固定ブロックは、金型固定面に金型が固定されるクランププレートまたはこのクランププレートが設けられているプラテンの上縁部に、その上縁部に沿って所定の間隙をおいて配置され、前記クランププレートまたはプラテンに固定される。固定部は、２つの固定ブロックのみによって構成することもできるし、これら２つの固定ブロックを適切な連結手段によって連結したものとすることもできる。前記クランププレートまたはプラテンの上縁部の長さ方向に沿う軸回りに回転自在に、前記２つの固定ブロックに可動ブロックが支持されている。可動ブロックには、前記金型に一端部が連結されたチェーンの他端部側が固定される。チェーンの一端部の金型への連結は、例えば金型に設けたアイボルトに、チェーンの一端部に結合したフックを係合させることもできるし、フックやアイボルトを介さずに金型に直接にチェーンの一端部を結合することもできる。前記チェーンは、複数の環状の鎖環を有し、隣接する前記鎖環が交差するように連結されたものである。可動ブロックは、その上面側から下面側に向かう中途まで、前記チェーンの１つの鎖環の正面側の少なくとも下側部分が前記固定面側を向いて収容可能で前記固定面側及びその反対側への移動不能なＵ字状の溝を有し、さらに、このＵ字の溝に交差して連通し、前記可動ブロックの上面及び下面及び前記固定面側で開口し、前記鎖環の幅寸法にほぼ等しい幅寸法を有する鎖環通路を、有している。
【０００７】
このように構成された金型脱落防止装置では、２つの固定ブロックをクランププレートまたはプラテンの上面に固定した状態で、それら固定ブロックの間隙間に可動ブロックが回動自在に取り付けられている。この状態において、金型に連結されている端部と反対側の端部側のチェーンの鎖環の１つをその正面側が金型固定面側を向くようにして、Ｕ字の溝にその上方から挿入すると同時に、この鎖環に連結されている金型側の鎖環を鎖環通路にその上方から挿入する。これによって、金型固定面側を向いている鎖環の下方への移動と金型固定面側と反対側への移動が拘束されている。従って、可動ブロックは、Ｕ字状の溝と鎖環通路とを少なくとも備える構成であり、製造が容易であるし、可動ブロックへの鎖環の固定はＵ字の溝と鎖環通路とへの隣接する２つの鎖環の挿入のみが必要で、可動ブロックに鎖環を固定するための蓋等を取り付ける必要も無く、取付作業が容易である。
【０００８】
前記可動ブロックの前記軸回りの回動を検出する検出手段を、前記固定部に設けることもできる。検出手段としては、可動ブロックの回動によって押圧されることによって回動を検出するものや、可動ブロックの回動によって可動ブロックが接近してきたことを検出するものや、回動による光の遮断を検出するもの等を使用することができる。チェーンが緊張状態となるように、Ｕ状溝と鎖環通路とに挿入する鎖環を選択すると、Ｕ字状溝と鎖環通路とに鎖環を挿入すると、チェーンが緊張状態であるので、可動ブロックが軸の回りを金型固定面側に回動する。この回動が検出されたことにより、金型に連結されたチェーンが脱落防止装置に固定されたことを確認することができる。
【考案の効果】
【０００９】
以上のように、本考案によれば、金型脱落防止装置の構成を簡略化することができ、かつチェーンの取付を容易にすることができる。また、可動ブロックの回動を検出する検出手段を設けることによって、チェーンが脱落防止装置に取り付けられたことを検出することができる。
【図面の簡単な説明】
【００１０】
【図１】本考案の１実施形態の金型脱落防止装置を設けた横型射出成形機の部分省略側面図である。
【図２】図１の射出成形機のクランププレートの正面図である。
【図３】図１の金型脱落防止装置の平面図である。
【図４】図１の金型脱落防止装置の部分破断正面図である。
【図５】図１の金型脱落防止装置に使用している可動ブロックの斜視図である。
【図６】図１の金型脱落防止装置の可動ブロックが回動した状態と回動していない状態の縦断側面図である。
【図７】図１の金型脱落防止装置にチェーンを固定した状態の平面図である。
【図８】図１の金型脱落防止装置にチェーンを固定した状態の正面図である。
【図９】図１の金型脱落防止装置にチェーンを固定した状態の可動ブロックが回動した状態と回動していない状態の縦断側面図である。
【考案を実施するための形態】
【００１１】
本考案の１実施形態の金型脱落防止装置２は、例えば図１及び図２に示すような横型射出成形機の金型に取り付けられている。金型は、固定金型４と可動金型６とからなり、固定金型４は、固定プラテン８に、可動金型６は可動プラテン１０にそれぞれ取り付けられている。固定プラテン８と可動プラテン１０とは対向して配置され、固定金型４を固定プラテン８に取り付け、可動金型６を可動プラテン１０に取り付けた状態において、可動プラテン１０が固定プラテン８側に移動し、可動金型６が固定金型４に押圧される。この状態において、両金型４、６内にはキャビティが形成されており、このキャビティ内に固定プラテン８側に設けられている樹脂射出機（図示せず）から溶融状態の樹脂が注入される。樹脂の硬化後に、可動プラテン１０が、固定プラテン８から離れる方向に移動され、可動プラテン１０側に設けたエジェクタ機構（図示せず）によって射出成型品が可動金型４から外される。
【００１２】
可動プラテン１０へ可動金型６を固定するために、例えば可動プラテン１０における固定プラテン８側の面には、クランププレート１２が取り付けられている。クランププレート１２は、固定プラテン８側に、可動金型６が固定される固定面１２ａを有している。図２に示すように、複数のマグネットユニット１４がクランクプレート１２内に設けられている。マグネットユニット１４は、複数の永久磁石と極性切換磁石とを有し、極性切換磁石を所定の極性に切り換えたとき、永久磁石と極性切換磁石とによる吸着力により可動金型６を固定面１２ａに吸着する。極性切換磁石を上記所定の極性と反対の極性に切り換えたとき、マグネットユニット１４の吸着力が消滅し、可動金型６を固定面１２ａから外すことができる。なお、図２に示す１６は、エジェクタ機構のエジェクタピンの挿通穴、１８は、クランププレート１２を固定プラテン８に取り付けているボルトである。
【００１３】
同様に、固定プラテン８もクランププレート２０を有し、そのクランププレート２０の固定面２０ａに固定金型４が固定されている。その構成は、クランクプレート１２と同様なマグネットユニットを使用したものであるので、詳細な説明は省略する。
【００１４】
金型脱落防止装置２は、図１に示すようにクランププレート１２、２０にそれぞれ設けられている。固定金型４、可動金型６にそれぞれ設けられたアイボルト２２、２４に係合しているフック２６、２８がチェーン３０、３２の一端に結合され、これらチェーン３０、３２の他端側が金型脱落防止装置２に固定される。チェーン３０、３２は、複数の環状の鎖環を、隣接するものが交差するように連結したもので、金型脱落防止装置２によって固定される鎖環の位置は、チェーン３０、３２が緊張状態となるように選択されている。
【００１５】
固定プラテン８のクランクプレート２０に設けた金型脱落防止装置２も可動プラテン１０のクランププレート１２に設けたものも同一構成であるので、以下、可動プラテン１０側のクランププレート１２に金型脱落防止装置２についてのみ説明する。
【００１６】
金型脱落防止装置２は、固定部３４を有し、この固定部３４は、２つの固定ブロック３４ａ、３４ｂからなる。固定ブロック３４ａ、３４ｂは、概略直方体状のもので、図２に示すように、クランププレート１２の上縁部の中央の両側に所定の間隙をおいて配置され、複数のボルト３６によってクランププレート１２の上縁に取り付けられている。
【００１７】
図３及び図４に示すように、固定ブロック３４ａ、３４ｂ間の間隙に可動ブロック３８が配置されている。可動ブロック３８は、図５に示すように、概略直方体状のブロック３８ａの上面の背面側に膨大部３８ｂを一体に設けたもので、その側面形状が概略Ｌ字状をなしている。膨大部３８ｂの両側面間を貫通して軸挿通孔４０が形成されている。この軸挿通孔４０に図３に示す軸４２が挿通されている。固定ブロック３４ａ、３４ｂの上述した間隙に面する面に形成した軸孔４４ａ、４４ｂに、この軸４２の両端がそれぞれ挿通され、軸４２はクランププレート１０の上縁に沿って位置し、可動ブロック３８は固定ブロック３４ａ、３４ｂに支持され、かつ軸４２の回りに回転自在である。
【００１８】
図６（ａ）、（ｂ）に示すように、可動ブロック３８のブロック３８ａの下面５１の後端には傾斜面４６が形成されている。この傾斜面４６にブロック３４ｂに設けたストッパ４８が接触し、可動ブロック３８は、その下面５１がほぼ水平となるように保持されている。
【００１９】
ブロック３８ａの上面５０のほぼ中央からその下面５１側の中途まで、ブロック３８ａの正面側から見て概略Ｕ字状をなす溝５２が形成されている。このＵ字の溝５２は、図８に示すように、チェーン３２の１つの鎖環の下端から中央よりやや上側の部分までが、Ｕ字の溝５２の内部に収容される深さに形成されている。またＵ字状の溝５２の幅寸法は、１つの鎖環の幅より幾分大きいものとされている。
【００２０】
図５に示すように、Ｕ字状の溝５２の正面側の中央からブロック３８ａの正面５４にまで貫通するように、鎖環通路５６がＵ状の溝５２と交差して形成されている。この鎖環通路５６の幅寸法は、図７に示すように１つの鎖環の幅寸法よりも幾分大きく選択されている。１つの鎖環３２ａの下端から中央よりも幾分上の部分までがＵ字状の溝５２に収容されつつある状態で、この鎖環３２ａがＵ字状の溝５２にその上方から挿入されるとき、この鎖環３２ａと連結されているフック２８側の鎖環３２ｂが、鎖環通路５６の上方から挿入されて、鎖環通路５６の下端から下部が突出するように、この鎖環通路５６は、ブロック３８ａの上面５０及び下面５１側で開口している。
【００２１】
図５に示すように、Ｕ字の溝５２の背面側の中央からさらに後方に、溝５８が形成されている。この溝５８は、ブロック３８の下面５１から膨大部３８ｂの上面まで貫通しており、この溝５８の幅寸法は、１つの鎖環の幅寸法よりも幾分大きく形成されている。図７、図９（ａ）、（ｂ）に示すように、Ｕ字状の溝５２に鎖環３２ａが挿通されたとき、鎖環３２ｂと反対側で鎖環３２ａに連結されている鎖環３２ｃが、この溝５８に挿通される。この溝５８に鎖環３２ｃが挿通可能なように、ブロック３８ａの上面の奥行きと膨大部３８ｂの奥行きとは設定されている。なお、図７、図９（ａ）、（ｂ）に示すように、鎖環３２ｃに連結されている鎖環３８ｄが滑らかに膨大部３８ｂの後方に傾斜できるように、膨大部３８ｂの正面の上縁部には、傾斜面６０が形成されている。
【００２２】
可動ブロック３８が軸４０の回りに回動したことを検出する回動検出器６２、例えば近接スイッチが、固定ブロック３４ｂには、図４に示すように設けられている。この回動検出器６２は、図６（ｂ）に示すように、ブロック３８ａの下面５１が水平な状態では、可動ブロック３８の側面が近接していないが、同図（ａ）に示すように、ブロック３８ａの下面５１が正面側を向くように傾斜したとき、可動ブロック３８の側面が近接して、可動ブロック３８が回動したことを検出する。
【００２３】
このように構成された金型脱落防止装置２では、可動金型４をクランププレート１２に取り付けた後、アイボルト２２にフック２８を掛ける。その後、Ｕ字状の溝５２に固定するとチェーン３２を緊張状態とできる鎖環３２ａを決定し、これを図９（ａ）に示すように、Ｕ字状の溝５２にその上方から収容し、同時に鎖環３２ｂを鎖環通路５６にその上方から挿通する。このとき、Ｕ字の溝５２の溝底とその正面側の壁によって鎖環３２ａの移動が拘束され、チェーン３２によって可動金型６はクランププレート１２に押圧され、クランププレート１２から脱落することが防止できる。なお、チェーン３２における鎖環３２ｂと反対側で鎖環３２ａと連結されている鎖環３２ｃは溝５８に挿通され、この鎖環３２ｃに連結されている鎖環３２ｄは傾斜面６０によって傾斜され、可動ブロック３８の後方に垂らされる。また、チェーン３２が緊張状態であることにより、可動ブロック３８が図９（ａ）に示すように正面側に回動し、回動検出器６２によって可動ブロック３８の回動が検出される。この回動が検出されるまで、図示していない表示装置にチェーン３２による脱落防止が行われていない旨の表示をしておき、回動の検出後に、この表示を消滅させることによって、脱落防止装置の作動忘れを防止することができる。或いは、回動検出器６２が可動ブロック３８の回動を検出するまで、射出成形機を作動させないようにすることにより、確実に脱落防止装置を作動させることもできる。
【００２４】
このように、本実施形態の金型脱落防止装置２では、チェーンの取付は、３つの連結された鎖環３２ｃ、３２ａ、３２ｂを溝５８とＵ状の溝５２と鎖環通路５６とにその上方から挿入するだけの作業で、可動金型６を固定することができ、蓋を止めるような作業が不要である。しかも、可動ブロック３８にＵ状の溝５２とこれらと連通した溝５８と鎖環通路５６とを設けるだけでよく、その製造が容易である。また、回動検出器６２を設けてあるので、脱落防止装置２へチェーンを結合することを忘れたまま射出成形機を作動させることを防止することもできる。
【００２５】
上記の実施形態では、金型脱落防止装置２を横型射出成形機に使用したが、これに限ったものではなく、金型を使用する機器、例えばプレス成型機に使用することもできる。また、上記の実施形態では、固定金型４及び可動金型６は、マグネットユニット１４の極性切換磁石の極性を切り換えることによってクランププレート１２に磁気クランプされたり、解除されたりするものを使用したが、これに限ったものではなく、例えば電磁石への電流の供給及びその停止により磁気クランプしたり、解除したりする磁気クランプ装置を使用することもできる。上記の実施形態では、固定部３４は、クランププレート１２、２０に設けたが、固定プラテン８、可動プラテン１０に設けることもできる。また、固定部３４は、別個に形成した２つの固定ブロック３４ａ、３４ｂによって構成したが、２つのブロック３４ａ、３４ｂをそれらの下面で連結した一体ものに構成することもできる。その場合、可動ブロック３８の両側面に軸を一体に形成し、そのうちの一方の軸は可動ブロックの内外に進退する構成とすると、固定ブロック３４ａ、３４ｂへの取付が容易になる。上記の実施形態では、可動ブロック３８には、膨大部３８ｂを設けたが、場合によっては膨大部３８ｂを除去することができる。その場合、軸挿通孔４０はブロック３８ａの側面間を貫通させる。また、溝５８や傾斜面６０を設けたが、これらも場合によっては除去することができる。上記の実施形態では、回動検出器６２に近接スイッチを使用したが、これに限ったものではなく、例えば光電検出器や、可動ブロックの回動によって操作される機械スイッチを使用することもできる。
【符号の説明】
【００２６】
２  金型脱落防止装置
４  固定金型
６  可動金型
８  固定プラテン
１０  可動プラテン
１２  磁気クランププレート
１２ａ  固定面
３４  固定部
３４ａ  ３４ｂ  固定ブロック
３８  可動ブロック
５２  Ｕ状の溝
５６  鎖環通路
【図１】
0003160637.tif 000003
【図２】
0003160637.tif 000004
【図３】
0003160637.tif 000005
【図４】
0003160637.tif 000006
【図５】
0003160637.tif 000007
【図６】
0003160637.tif 000008
【図７】
0003160637.tif 000009
【図８】
0003160637.tif 000010
【図９】
0003160637.tif 000011